(57)【要約】【課題】  太陽電池モジュールにおいて、太陽電池セル側の出力電極と出力ケーブルとの結線の作業性を向上すること。【解決手段】  太陽電池モジュール１０において、前記出力ケーブル３７に結線される出力電極３２は平板状の基材であり、出力電極３２のための仮固定部４４を備えてなり、仮固定部４４が電極押さえ付け部４４でなり、出力電極３２の１箇所を電極押さえ付け部４４により上から押さえ付け、出力電極３２の電極押さえ付け部４４により押さえ付けられている部分よりも太陽電池セル側の１箇所を導電体３８に押さえ付け保持して仮固定可能にするもの。【選択図】  図８
2009302595.tif 000002
【特許請求の範囲】
【請求項１】
太陽電池セルの裏面側にバックフィルムを設けるとともに、バックフィルムの外面に端子保護カバーを設けた積層接合体であり、太陽電池セルに接続してある一対の出力電極をバックフィルムの電極挿通孔に通し、該出力電極を端子保護カバーの内部で出力ケーブルの導電体と結線してなる太陽電池モジュールにおいて、
前記出力ケーブルに結線される出力電極は平板状の基材であり、出力電極のための仮固定部を備えてなり、
仮固定部が電極押さえ付け部でなり、
出力電極の１箇所を電極押さえ付け部により上から押さえ付け、出力電極の電極押さえ付け部により押さえ付けられている部分よりも太陽電池セル側の１箇所を導電体に押さえ付け保持して仮固定可能にすることを特徴とする太陽電池モジュール。
【請求項２】
前記出力電極の１箇所を電極押さえ付け部により上から押さえ付け、出力電極の電極押さえ付け部により押さえ付けられている部分を挟む太陽電池セル側とその反対側の２箇所を導電体に押さえ付け保持して仮固定可能にする請求項１に記載の太陽電池モジュール。
【請求項３】
前記の一対の出力電極のそれぞれを押さえ付けるように隣り合う各電極押さえ付け部が互いに逆側に開口している請求項１又は２に記載の太陽電池モジュール。
【請求項４】
太陽電池セルの裏面側にバックフィルムを設けるとともに、バックフィルムの外面に端子保護カバーを設けた積層接合体であり、太陽電池セルに接続してある一対の出力電極をバックフィルムの電極挿通孔に通し、該出力電極を端子保護カバーの内部で出力ケーブルの導電体と結線してなる太陽電池モジュールの製造方法において、
平板状の基材である前記出力電極を出力ケーブルに結線するに際し、出力電極を仮固定部により仮固定した状態で、該出力電極と出力ケーブルとを結線するものであり、
仮固定部が電極押さえ付け部でなり、
出力電極の１箇所を電極押さえ付け部により上から押さえ付け、出力電極の電極押さえ付け部により押さえ付けられている部分よりも太陽電池セル側の１箇所を導電体に押さえ付け保持して仮固定することを特徴とする太陽電池モジュールの製造方法。
【請求項５】
前記出力電極の１箇所を電極押さえ付け部により上から押さえ付け、出力電極の電極押さえ付け部により押さえ付けられている部分を挟む太陽電池セル側とその反対側の２箇所を導電体に押さえ付け保持して仮固定する請求項４に記載の太陽電池モジュールの製造方法。
【請求項６】
前記の一対の出力電極のそれぞれを、隣り合って互いに逆側に開口している各電極押さえ付け部により上から押さえ付ける請求項４又は５に記載の太陽電池モジュールの製造方法。
【発明の詳細な説明】
【技術分野】
【０００１】
本発明は太陽電池モジュール及びその製造方法に関する。
【背景技術】
【０００２】
近年、化石燃料の消費増大等に起因する地球環境問題・エネルギ枯渇問題の深刻化に伴い、住宅等の屋根の上に、パネル状の太陽電池モジュールを設置し、クリーンな太陽エネルギから直接電力を取り出して住宅に供給する住宅用太陽光発電システムが注目されている。
【０００３】
太陽電池モジュールは、単結晶シリコンや多結晶シリコンからなる複数の太陽電池セルをＥＶＡ（エチレン・ビニル・アセテート）樹脂等の透明接着層を介してガラス等の透明板に貼り付けるとともに、太陽電池セルの裏面側にＰＥＴ（ポリ・エーテル・テルフタレート）樹脂やＰＶＦ（ポリ・ビニル・フロライド）の間にアルミニウムをサンドイッチしたバックフィルム（裏面防湿層）が貼り付けて構成されている。
【０００４】
ところで、太陽電池モジュールでは、電力取出し構造として、バックフィルムの外面に端子保護カバーを設け、太陽セルに接続してある出力電極をバックフィルムの電極挿通孔を経て、端子保護カバーの電極取出孔から取出し、該出力電極を出力ケーブルと接続することとしている。
【０００５】
特許文献１では、端子保護カバーの外面にソケットを設け、太陽電池セル側の出力電極に接続された接続ピンをソケットに設けるとともに、出力ケーブルに接続された被接続ピンをプラグに設け、ソケットにプラグを挿入することによりそれらの接続ピンと被接続ピンとを電気的に嵌合接続することとしている。ところが、このソケットとプラグを用いるコネクタ方式では、コストが上昇するとともに、電気的接続の信頼性が低いという不都合がある。
【０００６】
そこで従来技術では、太陽電池セル側の出力電極と出力ケーブルとの電気的接続の信頼性確保を優先させて、出力電極を端子保護カバーの内部で出力ケーブルと半田付けもしくはビスにより接続している。
【先行技術文献】
【特許文献】
【０００７】
【特許文献１】特開平9-223538号公報
【発明の概要】
【発明が解決しようとする課題】
【０００８】
然しながら、従来技術による、出力電極を出力ケーブルに半田付けもしくはビスにより接続する作業は、出力電極を一定の位置に留めておくことができず、自由に動き回るため、ニッパー等の工具による電極の押さえ付け保持と、半田ゴテの操作と半田の供給、もしくはビスの保持とビス回し工具の操作とを同時に行なう必要があり、非常に作業性が悪い。
【０００９】
本発明の課題は、太陽電池モジュールにおいて、太陽電池セル側の出力電極と出力ケーブルとの結線の作業性を向上することにある。
【課題を解決するための手段】
【００１０】
請求項１の発明は、太陽電池セルの裏面側にバックフィルムを設けるとともに、バックフィルムの外面に端子保護カバーを設けた積層接合体であり、太陽電池セルに接続してある一対の出力電極をバックフィルムの電極挿通孔に通し、該出力電極を端子保護カバーの内部で出力ケーブルの導電体と結線してなる太陽電池モジュールにおいて、前記出力ケーブルに結線される出力電極は平板状の基材であり、出力電極のための仮固定部を備えてなり、仮固定部が電極押さえ付け部でなり、出力電極の１箇所を電極押さえ付け部により上から押さえ付け、出力電極の電極押さえ付け部により押さえ付けられている部分よりも太陽電池セル側の１箇所を導電体に押さえ付け保持して仮固定可能にするようにしたものである。
請求項２の発明は、請求項１の発明において更に、前記出力電極の１箇所を電極押さえ付け部により上から押さえ付け、出力電極の電極押さえ付け部により押さえ付けられている部分を挟む太陽電池セル側とその反対側の２箇所を導電体に押さえ付け保持して仮固定可能にするようにしたものである。
請求項３の発明は、請求項１又は２の発明において更に、前記の一対の出力電極のそれぞれを押さえ付けるように隣り合う各電極押さえ付け部が互いに逆側に開口しているようにしたものである。
請求項４の発明は、太陽電池セルの裏面側にバックフィルムを設けるとともに、バックフィルムの外面に端子保護カバーを設けた積層接合体であり、太陽電池セルに接続してある一対の出力電極をバックフィルムの電極挿通孔に通し、該出力電極を端子保護カバーの内部で出力ケーブルの導電体と結線してなる太陽電池モジュールの製造方法において、平板状の基材である前記出力電極を出力ケーブルに結線するに際し、出力電極を仮固定部により仮固定した状態で、該出力電極と出力ケーブルとを結線するものであり、仮固定部が電極押さえ付け部でなり、出力電極の１箇所を電極押さえ付け部により上から押さえ付け、出力電極の電極押さえ付け部により押さえ付けられている部分よりも太陽電池セル側の１箇所を導電体に押さえ付け保持して仮固定するようにしたものである。
請求項５の発明は、請求項４の発明において更に、前記出力電極の１箇所を電極押さえ付け部により上から押さえ付け、出力電極の電極押さえ付け部により押さえ付けられている部分を挟む太陽電池セル側とその反対側の２箇所を導電体に押さえ付け保持して仮固定するようにしたものである。
請求項６の発明は、請求項４又は５の発明において更に、前記の一対の出力電極のそれぞれを、隣り合って互いに逆側に開口している各電極押さえ付け部により上から押さえ付けるようにしたものである。
【発明の効果】
【００１１】
本発明によれば、以下の作用効果を奏する。
(a)端子保護カバーの内部で出力電極を出力ケーブルに半田付けもしくはビス等で結線するに先立ち、電極を仮固定部により仮固定しておくことで、電極が自由に動き回ることを防止し、該電極を出力ケーブルに半田付けもしくはビス等で結線する作業を容易化できる。
【００１２】
(b)上記(a)により、出力電極と出力ケーブルとの結線に際し、電極をニッパー等の工具で押さえ付け保持する必要がなくなり、この結線のための作業工数を低減し、製造コストを削減できるとともに、結線の確実を図り製品の品質信頼性を向上できる。
【図面の簡単な説明】
【００１３】
【図１】図１は太陽電池モジュールを示す平面図である。
【図２】図２は太陽電池モジュールの要部である図１のII-II線に沿う断面図である。
【図３】図３は太陽電池モジュールの電極接続構造を示す斜視図である。
【図４】図４は端子保護カバーを示す平面図である。
【図５】図５は電極仮固定構造の参考例を示す平面図である。
【図６】図６は電極仮固定構造の他の参考例を示す平面図である。
【図７】図７は電極仮固定構造の他の参考例を示す平面図である。
【図８】図８は電極仮固定構造の本発明例を示す平面図である。
【発明を実施するための形態】
【００１４】
太陽電池モジュール１０は、図１に示す如く、太陽電池本体１１の外周部をウレタン樹脂等からなる封止枠体１２の凹溝に嵌合されて封着されている。
【００１５】
太陽電池モジュール１０の太陽電池本体１１は、図２に示す如く、透明板２１と透明接着層２２と太陽電池セル２５と接着層２６とバックフィルム２７の積層接合体である。即ち、太陽電池本体１１は、ガラス又はプラスチック等からなる透明板２１に、ＥＶＡ等からなる透明接着層２２を介して、単結晶シリコンや多結晶シリコン、アモルファス、化合物半導体等からなる複数の太陽電池セル２５を積層し、更にそれら太陽電池セル２５の裏面側にＥＶＡ等からなる接着層２６を介してＰＥＴ（ポリ・エーテル・テレフタレート）樹脂やＰＶＦ（ポリ・ビニル・フロライド）の間にアルミニウムをサンドイッチしたバックフィルム（裏面防湿層）２７を積層し、これらの積層体を所定の圧力（例えば1気圧）、所定の温度（例えば100℃）で接合（熱圧着）した積層接合体である。
【００１６】
ここで、太陽電池モジュール１０の電力取出し構造は以下の如くである。太陽電池モジュール１０は、図１、図３に示す如く、箔状の銅もしくは銀等を基材とし半田コーティングした接続材３１（インターコネクタ）で太陽電池セル２５同士を接続し、複数の太陽電池セル２５を直列に接続したセルストリングスを形成し、このセルストリングスに一対の出力電極３２を有している。そして、太陽電池モジュール１０は、前述した太陽電池本体１１の接着層２６とバックフィルム２７のそれぞれに予め開けてある電極挿通孔３３、３４に上述の出力電極３２を通した後に、該太陽電池本体１１を前述した如くに積層接合して前述の積層接合体を形成する。次に、太陽電池モジュール１０のバックフィルム２７の電極挿通孔３４に通した出力電極３２は、図４に示す如く、端子保護カバー３５の電極取出孔３６に通して立上げられ、端子保護カバー３５の内部で出力ケーブル３７もしくは該出力ケーブル３７につながる導電体３８に半田付け（もしくはビス等）３９で結線される。出力電極３２と出力ケーブル３７との結線後、端子保護カバー３５は太陽電池モジュール１０のバックフィルム２７に接着剤で接着され、端子保護カバー３５の空間はシリコン等で充填された後、蓋３５Ａを装着されて封止される。尚、図４において、４０はバイパスダイオードである。
【００１７】
然るに、太陽電池モジュール１０にあっては、図５の参考例に示す如く、端子保護カバー３５内で出力電極３２を出力ケーブル３７につながる導電体３８に半田付け（もしくはビス等）３９で結線するに先立ち、電極３２を導電体３８に設けてある仮固定部としてのスリット（もしくは孔）４１に通して折り曲げることによって仮固定しておくものとした。これにより、電極３２を一定の位置に仮固定でき、電極３２が自由に動き回ることを防止し、出力ケーブル３７の導電体３８への半田付け（もしくはビス等）３９による固定作業を容易化できる。
【００１８】
従って、本参考例によれば、以下の作用がある。
(a)端子保護カバー３５の内部で出力電極３２を出力ケーブル３７に半田付け（もしくはビス等）３９で結線するに先立ち、電極３２を仮固定部としてのスリット（もしくは孔）４１により仮固定しておくことで、電極３２が自由に動き回ることを防止し、該電極３２を出力ケーブル３７に半田付け（もしくはビス等）３９で結線する作業を容易化できる。
【００１９】
(b)上記(a)により、出力電極３２と出力ケーブル３７との結線に際し、電極３２をニッパー等の工具で押さえ付け保持する必要がなくなり、この結線のための作業工数を低減し、製造コストを削減できるとともに、結線の確実を図り製品の品質信頼性を向上できる。
【００２０】
そして、本参考例では、上記(a)、(b)の如く、出力電極３２と出力ケーブル３７との結線作業が容易になり、作業者は、電極３２を押さえ付け保持することなく、半田ゴテの操作と半田の供給だけを行ない、或いはビスの保持とビス回し工具の操作だけを行なえば良いものとなり、熟練者でなくて足りるものとなる。
【００２１】
尚、太陽電池モジュール１０において、出力電極３２を出力ケーブル３７の導電体３８に半田付けもしくはビス３９で結線するに先立つ電極３２の仮固定構造としは、下記(1)、(2)の参考例、(3)の本発明例を採用できる（図６〜図８）。
(1)出力電極３２の仮固定部として、導電体３８にくびれ部４２を設けたもの（図６）。出力電極３２を導電体３８のくびれ部４２に巻付けることにより仮固定できる。
【００２２】
(2)出力電極３２の仮固定部を、導電体３８に設けるものでなく、端子保護カバー３５の一部もしくはそれに取付けられた部品として用意することができ、例えば端子保護カバー３５に設けた電極ホールド部４３により構成したもの（図７）。出力電極３２を導電体３８の上を通しつつ端子保護カバー３５に設けた電極ホールド部４３に挟着することにより仮固定できる。
【００２３】
(3)出力電極３２の仮固定部として、端子保護カバー３５に設けた電極押さえ付け部４４により構成したもの（図８）。電極３２を端子保護カバー３５に設けた電極押さえ付け部４４で導電体３８に押さえ付け保持することにより仮固定できる。
【００２４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の実施において、バックフィルムに設ける電極挿通孔は、切欠状にて形成されるものであっても良い。
【産業上の利用可能性】
【００２５】
本発明によれば、太陽電池モジュールにおいて、太陽電池セル側の出力電極と出力ケーブルとの結線の作業性を向上することができる。
【符号の説明】
【００２６】
１０  太陽電池モジュール
１１  太陽電池本体
１２  封止枠体
２５  太陽電池セル
２７  バックフィルム
３２  出力電極
３４  電極挿通孔
３５  端子保護カバー
３６  電極取出孔
３７  出力ケーブル
４４  電極押さえ付け部（仮固定部）
【図１】
2009302595.tif 000003
【図２】
2009302595.tif 000004
【図３】
2009302595.tif 000005
【図４】
2009302595.tif 000006
【図５】
2009302595.tif 000007
【図６】
2009302595.tif 000008
【図７】
2009302595.tif 000009
【図８】
2009302595.tif 000010